(57)【特許請求の範囲】
【請求項１】
弁開閉レバー（１５）に挿入されて該弁開閉レバー（１５）を中心軸として回転する筒状の先端部（２）の反対側末端（８）が、前記回転と共に円運動をなすべく筒状の先端部（２）に第一湾曲部（４）を連設して略へ字形に曲成されてなることを特徴とする弁開閉器。
【請求項２】
第一湾曲部（４）の湾曲起点近傍から先端部（２）の端縁（２ａ）側の適宜位置に弁開閉レバー（１５）の先端（１５ａ）が当接される当たり部（３）を設けた請求項１記載の弁開閉器。
【請求項３】
先端部（２）を先端に向けて漸開状に形成した請求項１又は２記載の弁開閉器。
【請求項４】
第一湾曲部（４）に繋がる中間部（５）の他端に略逆へ字形の第二湾曲部（６）を設け、該第二湾曲部（６）にその湾曲方向で先端部（２）と平行若しくは非平行をなす直線状の把持部（７）が繋がってなる請求項１乃至３のいずれかに記載の弁開閉器。
【請求項５】
先端部（２）の反対側末端（８）にバール片（９）又はキャップ体（１０）を設けてなる請求項１乃至４のいずれかに記載の弁開閉器。
【請求項６】
筒状の先端部（２）に第一湾曲部（４）を連設して略へ字形に曲成した棒状の弁開閉器（１）の前記先端部（２）を傾斜状態の弁開閉レバー（１５）に挿入し、弁開閉器（１）と共に弁開閉レバー（１５）を弁開閉方向に回動させて略起立せしめた時点で、弁開閉器（１）の末端（８）を筒状の先端部（２）を中心として略半回転円運動させた後、弁開閉器（１）と共に弁開閉レバー（１５）を同一方向に更に回動させて逆傾斜状態となすことを特徴とする弁の開閉方法。
【請求項７】
筒状の先端部（２）に第一湾曲部（４）を連設して略へ字形に曲成した棒状の弁開閉器（１）の前記先端部（２）を地中用弁室（１３）内にある略起立状態の弁開閉レバー（１５）に挿入し、第一湾曲部（４）の相対する凹、凸湾曲面側を弁開閉レバー（１５）の弁開閉方向に向けるとともに、先端部（２）の反対側末端（８）を前記弁室（１３）の上面開口から突出させるか又は該弁室（１３）内の上面開口付近に位置させ、弁開閉器（１）と共に弁開閉レバー（１５）を前記第一湾曲部（４）の凸湾曲面側に回動させて傾斜状態となすことを特徴とする弁の開閉方法。
【請求項８】
第一湾曲部（４）の湾曲起点近傍から先端部（２）の端縁（２ａ）側の適宜位置及び／又は弁開閉レバー（１５）の外側に当たり部（３）を設け、弁開閉器（１）の挿入深さを決めて操作する請求項６又は請求項７記載の弁の開閉方法。
【発明の詳細な説明】
【０００１】
【発明の属する技術分野】
本発明は、消火栓を始めとし、制水弁、仕切弁、空気弁等の各種地中埋設用機器に供する弁開閉器及びその開閉方法に関し、より詳しくは、筒状をなす棒体の先端形状を特定して、地中用弁室内にある弁開閉レバーの操作が容易に行える弁開閉器及びそれを用いた弁の開閉方法に関する。
【０００２】
【従来の技術】
従来、各種地中埋設用機器の弁を開閉するため、これに付帯した棒状の弁開閉レバーを操作する際は、該レバーを直接把持して手動により弁開閉方向に回動させるか、或いは弁開閉レバーの動作が堅い場合には、金槌等で弁開閉レバーに打撃を与えつつ回動させたり、所謂バール等略Ｌ字状をなす金物を弁開閉レバーに引っ掛け、引っ張って回動させていた。
【０００３】
【発明が解決しようとする課題】
しかしながら、上記手動により直接操作する場合は、地表面から地中に埋設された地中用弁室内に手を延ばして前記機器の弁開閉レバーを操作しなければならず、体勢が悪くなって作業がしにくく、更に、機器が深く埋設されている場合には、上記作業が更に煩瑣になるうえに、手が届き難く又滑る等の問題があった。
又、上記打撃を与えつつ回動させる場合は、その衝撃が弁を傷める原因となるため好ましくない。而して、この種弁開閉レバーは、弁軸から傾斜した状態で保持され、その先端が地中用弁室の内壁と近接して弁開閉レバー先端からの軸方向における空間（地中用弁室の内壁までの距離）が狭くなるため、やむを得ず上記金槌等を用いる場合にあっても、かかる狭空間においては弁開閉レバーに的確な打撃を与え難い。更に又、弁開閉レバーにバール等を引っ掛けて引っ張る場合にはバール等が滑り易い。
従って、何れの場合にも動作が堅い弁開閉レバーを回動させるに必要な力を効率的に作用させ難いといった問題があった。
本発明は、上記の従来の問題に鑑みてなされたもので、弁開閉操作が地中用弁室の上部開口から行えて手間がかからず、しかも弁開閉レバーの開閉操作がスムーズに行える弁開閉器及び弁の開閉方法を提供することを目的とする。
【０００４】
【課題を解決するための手段】
上記課題を解決するため、本発明に係る弁開閉器は、弁開閉レバー１５に挿入されて該弁開閉レバー１５を中心軸として回転する筒状の先端部２の反対側末端８が、前記回転と共に円運動をなすべく筒状の先端部２に第一湾曲部４を連設して略へ字形に曲成されてなることを特徴とするものである。
上記構成からなる弁開閉器１にあっては、傾斜状態にある弁開閉レバー１５の軸方向で、その先端１５ａと地中用弁室１３の内壁１３ａ間にある空間が狭い場合にあっても、略へ字形の第一湾曲部４を上記空間に掻い潜らせることで、その長さを延設せしめた弁開閉器１を傾斜状態にある弁開閉レバー１５に挿入し、又は弁開閉レバー１５から抜き取ることができる。
又、弁開閉レバー１５に筒状の先端部２が挿入された状態で、その末端８を円運動させることが可能なために、弁開閉器１が弁開閉レバー１５を中心軸として方向変換自在となる。
【０００５】
又、本発明に係る弁開閉器は、第一湾曲部４の湾曲起点近傍から先端部２の端縁２ａ側の適宜位置に弁開閉レバー１５の先端１５ａが当接される当たり部３を設けたものであれば、弁開閉レバー１５への挿入時には、当たり部３がストッパーとなりその先端１５ａが略へ字形をなす第一湾曲部４よりも奥深くに挿入されることを阻止するために、先端部２が弁開閉レバー１５を中心軸として回転自在に保たれて弁開閉器１自体の方向変換が抵抗なく行え、又、弁開閉レバー１５からの抜き取りも容易に行える。
【０００６】
又、本発明に係る弁開閉器は、先端部２を先端に向けて漸開状に形成したものであれば、前記弁開閉レバー１５への挿入や弁開閉レバー１５からの抜き取りがより一層容易になり好ましい。
更に、本発明に係る弁開閉器は、第一湾曲部４に繋がる中間部５の他端に略逆へ字形の第二湾曲部６を設け、該第二湾曲部６にその湾曲方向で先端部２と平行若しくは非平行をなす直線状の把持部７が繋がってなる構成を採用することができる。
かかる構成からなる弁開閉器１にあっては、傾斜状態にある弁開閉レバー１５を起立せしめ、又、逆傾斜状態に傾倒させるという一連のレバー操作時に、弁開閉器１自体がその先端部２を中心とし、回転して方向変換する際の把持部７の回転半径を小さくすることができるために、その動線が短くなって開閉操作が小スペース内で迅速に行える。
更に起立状態にある弁開閉レバー１５に挿入した際には、把持部７が中間部５から屈折して上向き状を呈するために、弁開閉器１の末端がより把持し易くなるとともに、力がよく利いて弁開閉レバー１５をスムーズに回動させることができる。
【０００７】
又、本発明に係る弁開閉器は、先端部２の反対側末端８にバール片９又はキャップ体１０を設けたものであれば、地中用弁室１３内にある埋設機器１４の弁開閉レバー１５を操作するに加えて、バール片９によって地中用弁室１３の上面開口を閉塞する蓋体１１を開放し、又は、キャップ体１０によって埋設機器１４の弁開閉螺子１６を開閉することができる。即ち、１本の弁開閉器１の両端部に夫々異なった工具を具備せしめて兼用的な使用を可能となすものである。
【０００８】
更に又、本発明に係る弁の開閉方法は、筒状の先端部２に第一湾曲部４を連設して略へ字形に曲成した棒状の弁開閉器１の前記先端部２を傾斜状態の弁開閉レバー１５に挿入し、弁開閉器１と共に弁開閉レバー１５を弁開閉方向に回動させて略起立せしめた時点で、弁開閉器１の末端８を筒状の先端部２を中心として略半回転円運動させた後、弁開閉器１と共に弁開閉レバー１５を同一方向に更に回動させて逆傾斜状態となすものである。
かかる構成からなる弁の開閉方法にあっては、弁開閉器１を弁開閉レバー１５に挿入した状態のままで、弁開閉器１の回動及び回転の一連操作が可能となり、これに伴って傾斜状態にある弁開閉レバー１５を起立せしめ、又、逆傾斜状態に傾倒させるという弁の開閉が完全、且つ速やかに行える。
【０００９】
又、本発明に係る弁の開閉方法は、筒状の先端部２に第一湾曲部４を連設して略へ字形に曲成した棒状の弁開閉器１の前記先端部２を地中用弁室１３内にある略起立状態の弁開閉レバー１５に挿入し、第一湾曲部４の相対する凹、凸湾曲面側を弁開閉レバー１５の弁開閉方向に向けるとともに、先端部２の反対側末端８を前記弁室１３の上面開口から突出させるか又は該弁室１３内の上面開口付近に位置させ、弁開閉器１と共に弁開閉レバー１５を前記第一湾曲部４の凸湾曲面側に回動させて傾斜状態となすものである。
かかる構成からなる弁の開閉方法にあっては、弁開閉器１を弁開閉レバー１５に挿入した状態で、第一湾曲部４が地中用弁室１３の内壁１３ａの近くに至るまで回動させることができ、地中用弁室１３内の狭いスペースにあっても起立状態にある弁開閉レバー１５を確実に傾斜状態に傾倒させて、弁を完全に全開又は全閉することができる。
【００１０】
又、本発明に係る弁の開閉方法は、第一湾曲部４の湾曲起点近傍から先端部２の端縁２ａ側の適宜位置及び／又は弁開閉レバー１５の外側に当たり部３を設け、弁開閉器１の挿入深さを決めて操作するものであれば、弁開閉器１を弁開閉レバー１５に挿入した時点で、弁開閉器１の第一湾曲部４の湾曲起点近傍から先端部２の端縁２ａ側の適宜位置にある当たり部３ａが弁開閉レバー１５の先端１５ａに当接し、或いは、弁開閉レバー１５の外側にある当たり部３ｂが弁開閉器１の筒状の先端部２の端縁２ａに当接するために、夫々弁開閉レバー１５の先端１５ａが略へ字形をなす第一湾曲部４よりも奥深くに嵌挿して噛み込むことがなく、上記弁開閉器１の回転、円運動が支障なく行えるとともに、弁開閉レバー１５からの抜き取りも容易に行えて、一連の操作が無駄なく、且つ迅速に行える。
【００１１】
【発明の実施の形態】
以下、本発明の実施の形態を、図面を参酌しつつ説明する。
図１（イ）及び（ニ）は、本実施形態の一例に係る弁開閉器１を示す。
該弁開閉器１は、断面円形のパイプ体からなり、筒状の先端部２に略へ字形の第一湾曲部４を連設し、該第一湾曲部４に繋がってその末端８に至る部分を直線状で長尺の把持部７となす、又、前記先端部２はその端縁２ａ（非湾曲側）に向けて漸開状に形成され、且つ前記第一湾曲部４の湾曲起点近傍には、パイプの径方向に向け丸リベットが貫設されて当たり部３ａを構成している。
【００１２】
図１（ロ）及び（ニ）は、本発明の他実施形態に係る弁開閉器１を示し、該弁開閉器１もパイプ体の先端部２に略へ字形の第一湾曲部４を連設し、該第一湾曲部４に繋がる後部を直線状で長尺の中間部５となすとともに、その他端側に略逆へ字形の第二湾曲部６を設け、且つ該第二湾曲部６に繋がりその末端８に至る部分を直線状の把持部７となす断面円形の棒状体からなる。
即ち、直線状の中間部５の両端が互いに逆方向に湾曲されることにより、第一湾曲部４と第二湾曲部６が形成され、該第一湾曲部４及び第二湾曲部６の湾曲角度α１，α２が夫々異なり、前記把持部７が第二湾曲部６の湾曲方向で先端部２と非平行をなしている。
【００１３】
図１（ハ）及び（ニ）は、上記他実施形態に係る弁開閉器の変形例を示し、当該弁開閉器１は、前出の図１（ロ）に示す弁開閉器における第一湾曲部４及び第二湾曲部６の湾曲角度を夫々同一の狭角となし（湾曲角度α１＝α３、α２＝α３）、その中間部５を短くなすとともに、先端部２と平行となる把持部７を直線状に長く延設成形（図１（ハ）ではその中位を省略記載、全容は図７に明記）してその末端８に至ってなる。
而して、上記図１（ロ）及び（ハ）の場合も前記図１（イ）と同様に、先端部２はその端縁２ａ（非湾曲側）に向けて漸開状に形成され、又、第一湾曲部４の湾曲起点近傍に当たり部３ａを有してなる。
【００１４】
前記各実施形態における弁開閉器１の断面形状は一例で、かかる断面形状は所定の目的を果たす範囲内で適宜変更可能であり、例えて筒状の先端部２は、後述するように該先端部２を挿入する弁開閉レバー１５の断面形状に応じ、弁開閉レバー１５を中心軸として回動可能な形状であればよく、又、当たり部３ａを設ける構成は必須の条件ではないが、例えて図２（イ）乃至（ニ）に示す如く、円筒体自体を内腔側に窪めて形成したもの（同図（イ））、筒状体の内腔に板状体を固着したもの（同図（ロ）及び（ハ））、及び先端部２を端縁２ａ側で漸開しない袋体により形成し、その有底部を当たり部３ａとなすものの他、後述するように弁開閉レバー１５の先端１５ａと当接して、該弁開閉レバー１５に挿入される弁開閉器１の挿入深さを決められるものであればその具体的な態様は問わないが、前記先端１５ａとの接触度合いが少ないもの程、前記弁開閉器１自体の回動、円運動時に抵抗が小さく好ましい。
又、当たり部３ａは、第一湾曲部４の湾曲起点近傍に限らず、前記近傍から先端部２の端縁２ａ側の適宜位置に設けられ、先端部２内に弁開閉レバー１５が挿入可能となされるとともに、その先端１５ａが当接されるようになされておればよい。更に、先端部２に連設される部位は筒体の他、例えて図２（ニ）に示す如き中実で任意の断面形状からなる棒体であっても殊更問題はない。
更に又、当該弁開閉器１は金属製、樹脂製等、所望の性能に応じて任意の材質から構成されればよい。
【００１５】
次に、上記弁開閉器１を使用して弁を開閉する方法について説明する。
まず、図１（イ）に示す弁開閉器１を使用する場合、図３（イ）乃至（ハ）に示す如く、各ブロック体１２を組積して形成した地中用弁室１３内の下位に位置する埋設機器１４としての消火栓に付帯する弁開閉レバーｌ５（断面円形の棒体）に、地中用弁室１３の上面開口からその把持部７を把持して弁開閉器１を差し入れるとともに、左傾斜状態（弁が全開の状態）にある弁開閉レバー１５の軸方向で、その先端１５ａと地中用弁室１３の内壁１３ａ間にある空間へ略へ字形の第一湾曲部４を掻い潜らせて筒状の先端部２を弁開閉レバー１５に挿入すると、弁開閉器１の当たり部３ａが弁開閉レバー１５の先端１５ａに当接してその挿入が停止される（▲１▼の状態）。
続いて、同図（ニ）に示す如く、弁を全閉の状態（弁開閉レバー１５が右傾斜状態）となすべく、地中用弁室１３の上面に突出する把持部７を把持して弁開閉器１と共に弁開閉レバー１５を右方向に略半分回動させ、弁開閉レバー１５が起立して垂直となった時点（▲２▼の状態）で、弁開閉器１の末端８をその先端部２を中心として略半回転（略１８０度）円運動させる（▲３▼の状態）。
更に、この状態を保持して弁開閉器１を右方向に回動させることで、弁開閉レバー１５は右傾斜状態（▲４▼の状態）となって、弁が完全に閉められる。
而して、前記図３（イ）乃至（ハ）に示す挿入手順の逆手順をもって弁開閉器１を弁開閉レバー１５から抜き取ることにより、一連の弁操作が終了する。
【００１６】
又、上記操作と逆手順によって弁開閉器１を右から左方向に回動させれば、弁開閉レバー１５を左傾斜状態となして、弁を完全に開くことができる。
ここで、弁開閉器１の挿入、抜き取りに際しては、地中用弁室１３内での空間が狭くても、略へ字形をなす第一湾曲部４以下の先端部２をその空間で弧状に運動させることにより支障なく行えるとともに、その端縁２ａで漸開する先端部２が弁開閉レバー１５との挿通性を高め、又、挿入された弁開閉器１は、弁開閉レバー１５の先端１５ａと当接する当たり部３ａにより必要以上に嵌挿されて噛み込むことがないので、抜き取り容易となる。
又、上記当接状態により、先端部２を、弁開閉レバー１５を中心軸として回転自在となすものである。
【００１７】
図４に示す場合は、地中用弁室１３の高さが高く、深い位置に設置された埋設機器１４の弁開閉レバー１５を操作するもので、この場合も前記図３における操作と同様の一連の操作を行えばよいが、図４に示す如く、弁開閉器１と共に右方向に略半分回動させた弁開閉レバー１５が略起立した時点（▲２▼の状態）で、弁開閉器１の末端８をその先端部２を中心として略半回転（略１８０度）円運動させると同時に、弁開閉レバー１５を少し右傾斜させて（▲３▼の状態）、更に弁開閉器１を右方向に回動させることで、弁が完全に閉められてなる（▲４▼の状態）。
ここで、埋設機器１４は地表面から深くにあり、且つ弁開閉レバー１５の回動方向である地中用弁室１３の内幅が狭いために、かかる弁開閉レバー１５を従来の方法（手動又は金槌、バール等）で操作することは困難となるが、当該弁開閉器１によれば、図４に示す如くその末端８が地中用弁室１３の上面から突出せずに上面開口付近に位置した把持部７を地中用弁室１３内で把持して操作することにより、前記弁開閉レバー１５を容易、且つ確実に開閉することができる。
【００１８】
又、前記図１（ロ）及び（ハ）に示す弁開閉器１を使用する場合も、図５乃至図７に示す如く、夫々前記図３及び図４における操作と同様の一連の操作（夫々▲１▼乃至▲４▼の状態）を行えばよい。
而して、当該弁開閉器１には夫々第二湾曲部６が設けられ、又、これに把持部７が繋がり末端８に至ってなるために、弁開閉レバー１５が略起立した時点（夫々▲２▼の状態）で、弁開閉器１自体がその先端部２を中心とし、略半回転（略１８０度）円運動して方向変換する際の末端８における回転半径を小さくすることができるので、その動線が短くなって操作が小スペース内で行えるという利点がある。
特に、図１（ハ）及び図７に示す弁開閉器１にあっては、その中間部５が短く形成され、且つ第一湾曲部４及び第二湾曲部６の湾曲角度（α３）を夫々同一の狭角となしているので、前記方向変換時に把持部７も略垂直に起立してその回転半径がより小さくなるとともに、把持部７が長く延設成形されてなるので、末端８寄りを把持すれば動作が堅い弁開閉レバー１５を微力で回動可能になすという優位性がある。
【００１９】
又、前記各実施形態においては、最初から傾斜状態（弁が全開又は全閉の状態）にある弁開閉レバー１５を一旦起立状態にした後、更に逆傾斜状態にして弁の開閉を行っているが、最初から起立又は略起立状態（弁が半開きの状態）にある弁開閉レバー１５にあっても、当該弁開閉器１を用いてこれを傾斜状態となすことができる。
例えば、前記図１（イ）に示す弁開閉器１を使用する図３（ニ）において、仮に弁開閉レバー１５が最初から開閉途中の起立状態にあるとすれば、地中用弁室１３の上面開口から弁開閉器１を差し入れ、筒状の先端部２を略垂直状にして上方から弁開閉レバー１５に挿入すると、前記と同様に弁開閉器１の当たり部３ａが弁開閉レバー１５の先端１５ａに当接してその挿入が停止され、且つ第一湾曲部４の相対する凹、凸湾曲面側を弁開閉レバー１５の弁開閉方向に向け（▲３▼の状態）、続けて把持部７を把持して弁開閉器１と共に弁開閉レバー１５を第一湾曲部４の凸湾曲面側、即ち同図で右方向に回動させることで右傾斜状態（▲４▼の状態）となって、弁が完全に閉じられる。又、前記図４乃至図７においても、弁開閉レバー１５が最初から略起立又は起立状態にある場合もこれと同様（▲３▼乃至▲４▼の状態）にすればよい。
而して、該実施形態では、弁開閉器１の第一湾曲部４に連設した先端部２を起立又は略起立状態の弁開閉レバー１５に挿入して弁開閉器１を第一湾曲部４の凸湾曲面側に回動させるため、前記図３（ニ）や図４乃至図７で▲３▼乃至▲４▼の状態として示す如く、第一湾曲部４が地中用弁室１３の内壁１３ａの近くに至るまで弁開閉器１を回動でき、その回動範囲をできるだけ広くして弁開閉レバー１５を速やかに傾斜状態となすものである。
【００２０】
尚、上記埋設機器１４としての消火栓は、外部に軸支された弁開閉レバー１５の回動操作により内蔵せる弁を開閉して放水及び止水を行う構造のものであって、該弁開閉レバー１５は全開状態（左傾斜時）から全閉状態（右傾斜時）まで略９０度の回動範囲に設定されてなるものであるが、かかる埋設機器１４は上記消火栓に限定されず、弁軸を中心として回動作動する弁開閉レバー１５を具備するものであれば、如何なる機種であってもよいし、その回動範囲も上記のものに限定されず、例えて起立又は略起立状態で全開又は全閉状態、傾斜状態で全閉又は全開状態となるものの他、適宜に設定されるものであってもよい。
又、前記各実施形態における、弁開閉器１の略へ字形の第一湾曲部４、第二湾曲部６、中間部５及び把持部７の夫々の形状、並びに第一湾曲部４及び第二湾曲部６の各湾曲角度α乃至α３やその形成位置も前記実施形態のものに限定されず、埋設機器１４を保護する地中用弁室１３の高さやこれを形成するブロック体１２の寸法、形状等に応じて適宜変更可能である。
【００２１】
更に、上記各実施形態においては、弁開閉レバー１５に挿入される弁開閉器１の挿入深さを弁開閉器１に設けた当たり部３ａにより制限したが、かかる挿入深さは弁開閉レバー１５の外側に設けた当たり部３ｂに弁開閉器１の先端部２の端縁２ａを当接せしめて制限することも可能で、例えて図８（イ）乃至（ニ）に示す如く、弁開閉レバー１５の先端１５ａを縮径して外周面に段部を凹設してなるもの（同図（イ））、先端１５ａから離隔した外周面に凸部を連続又は分断して設けたもの（同図（ロ））、及び先端１５ａから離隔した位置で弁開閉レバー１５の径方向に向け棒状体が貫設されて、その両端が外側に突出したもの（同図（ハ）及び（ニ））等、適宜形状になすことができる。
【００２２】
次に、弁開閉器１の他実施形態を説明すると、先ず図９（イ）及び（ロ）に示す弁開閉器１は、筒状の先端部２の反対側末端８、即ち、略へ字形の第一湾曲部４に繋がる把持部７の末端８に角筒形で袋状をなすキャップ体１０が一体的に設けられてなるものである。
而して、上記弁開閉器１は、図９（ホ）に示す如く、前出の埋設機器１４としての消火栓の他、仕切弁等に併設される弁開閉螺子１６を回転させてその弁を開閉すべく、埋設機器１４から垂設せる弁開閉螺子１６に、地中用弁室１３の上面開口からその把持部７を把持して弁開閉器１を差し入れ、末端８にあるキャップ体１０を嵌挿させるとともに、先端部２を回動させて使用するものである。
又、同図に破線で示す如き先端部２と把持部７を略平行となす弁開閉器１によれば、先端部２をハンドルとして容易に回動できると同時に、大きな回転力を弁開閉螺子１６に作用させることができる。
尚、上記角筒形をなすキャップ体１０の形状は自由で、該キャップ体１０を嵌挿する弁開閉螺子１６の形状に相応して、該弁開閉螺子１６を回転させられるものであれば良い。
【００２３】
又、図９（ハ）及び（ニ）、図１０（イ）及び（ロ）に示す弁開閉器１の末端８にはバール片９が一体的に連設されてなる。更に詳しくは、図９（ハ）及び（ニ）におけるバール片９は、把持部７の末端８で舌片状を呈してなり、又、図１０（イ）及び（ロ）におけるバール片９は、第二湾曲部６に繋がる把持部７の末端８を舌片状に形成し、その先端を屈折して上向かせるとともに、該所の上面に膨出部１７を、又、下面に支持座１８を設け、且つ第二湾曲部６の狭角側に補強材１９を設けてなるものである。
而して、上記弁開閉器１は、図１０（ハ）乃至（ヘ）に示す如く、前出の地中用弁室１３の上面開口を閉塞せる蓋体１１に設けたバール孔１１ａにそのバール片９を挿入し、梃子作用をもって蓋体１１を地中用弁室１３から開放せしめるものである。
ここで、図１０（イ）及び（ロ）に示す弁開閉器１の場合は、同図（ホ）及び（ヘ）に示す如くバール孔１１ａに追設された凹陥部１１ｂに、バール片９の上面にある膨出部１７が嵌合してバール孔１１ａに挿入されたバール片９の位置決めがなされ、又、地中用弁室１３の上面に当接する支持座１８が支点となって梃子作用が良く利くとともに、第二湾曲部６にある補強材１９が弁開閉器１の屈曲変形を防止する等の作用を奏するために、蓋体１１の開放が更に容易となる。
即ち、上記他実施形態に係る各弁開閉器１によれば、その先端部２によって埋設機器１４の弁開閉レバー１５を回動せしめるのに加えて、キャップ体１０による弁開閉螺子１６の開閉操作、又はバール片９による蓋体１１の開放作業が併せて行えるのである。
【００２４】
【発明の効果】
本発明に係る弁開閉器は、弁開閉レバーに挿入されて該弁開閉レバーを中心軸として回転する筒状の先端部の反対側末端が、前記回転と共に円運動をなすべく筒状の先端部に第一湾曲部を連設して略へ字形に曲成されてなるために、傾斜状態にある弁開閉レバーの軸方向で、弁開閉レバーの先端と地中用弁室の内壁間に形成される空間が狭い場合にあっても、前記略へ字形に曲成されてなる第一湾曲部を上記空間に掻い潜らせることで、その長さを長く形成した弁開閉器を傾斜状態にある弁開閉レバーに挿入し、或いは弁開閉レバーから確実に抜き取ることができる。
【００２５】
又、本発明に係る弁開閉器は、第一湾曲部の湾曲起点近傍から先端部の端縁側の適宜位置に弁開閉レバーの先端が当接される当たり部を設けてなるために、弁開閉レバーへの挿入時には、前記当たり部がストッパーとなり、弁開閉レバーの先端が略へ字形をなす第一湾曲部を越えて奥深くに挿入されることを阻止する。従って、弁開閉器の先端部が弁開閉レバーを中心軸として回転自在に保持されて、弁開閉器自体の方向変換が抵抗なく行えるとともに、弁開閉レバーからも抜き取り易くなる。
【００２６】
又、本発明に係る弁開閉器は、先端部を先端（非湾曲側）に向けて漸開状に形成してなるために、前記弁開閉レバーへの挿入や弁開閉レバーからの抜き取りがより一層容易に行える。
更に、本発明に係る弁開閉器は、第一湾曲部に繋がる中間部の他端に略逆へ字形の第二湾曲部を設け、該第二湾曲部にその湾曲方向で先端部と平行若しくは非平行をなす直線状の把持部が繋がってなるために、弁開閉レバーの操作時には弁開閉器自体がその先端部を中心とし回転して方向変換する際の把持部の回転半径が小さくてすみ、その開閉操作が小スペース内で迅速に行える。
更に又、起立状態をなす弁開閉レバーに挿入すると、把持部が中間部から屈折して上向き状を呈し、弁開閉器の末端がより把持し易くなるために、力がよく利いて弁開閉レバーをスムーズに回動させることができる。
【００２７】
又、本発明に係る弁開閉器は、先端部の反対側末端にバール片又はキャップ体を設けてなるために、地中用弁室内にある埋設機器の弁開閉レバーを操作するに加えて、バール片によって地中用弁室の上面に嵌合された蓋体を開放し、或いは、キャップ体によって埋設機器の弁開閉螺子を開閉することができる。即ち、１本の弁開閉器を兼用的に使用することで工具点数を減じ、又、その操作、作業を簡素化することができる。
【００２８】
更に又、本発明に係る弁の開閉方法は、筒状の先端部に第一湾曲部を連設して略へ字形に曲成した棒状の弁開閉器の前記先端部を傾斜状態の弁開閉レバーに挿入し、弁開閉器と共に弁開閉レバーを弁開閉方向に回動させて略起立せしめた時点で、弁開閉器の末端を筒状の先端部を中心として略半回転円運動させた後、弁開閉器と共に弁開閉レバーを同一方向に更に回動させて逆傾斜状態となすため、弁開閉器を地中用弁室内にある弁開閉レバーに挿入した状態のままで、弁開閉器の回動及び回転の一連操作が可能となり、これに伴って傾斜状態にある弁開閉レバーを起立せしめ、続けて逆傾斜状態に傾倒させるという弁の開閉作業が確実、且つ迅速に行える。
【００２９】
又、本発明に係る弁の開閉方法は、筒状の先端部に第一湾曲部を連設して略へ字形に曲成した棒状の弁開閉器の前記先端部を地中用弁室内にある起立又は略起立状態の弁開閉レバーに挿入し、第一湾曲部の相対する凹、凸湾曲面側を弁開閉レバーの弁開閉方向に向けるとともに、先端部の反対側末端を前記弁室の上面開口から突出させるか又は該弁室内の上面開口付近に位置させ、弁開閉器と共に弁開閉レバーを前記第一湾曲部の凸湾曲面側に回動させて傾斜状態となすため、弁開閉器を弁開閉レバーに挿入した状態で、第一湾曲部が地中用弁室の内壁の近くに至るまで回動させることができ、地中用弁室内の狭いスペースにあっても起立状態にある弁開閉レバーを確実に傾斜状態に傾倒させて、弁を完全に全開又は全閉状態となすことができる。
【００３０】
又、本発明に係る弁の開閉方法は、第一湾曲部の湾曲起点近傍から先端部の端縁側の適宜位置及び／又は弁開閉レバーの外側に当たり部を設け、弁開閉器の挿入深さを決めて操作するために、弁開閉器を弁開閉レバーに挿入した時点で、弁開閉器の第一湾曲部の湾曲起点近傍から先端部の端縁側の適宜位置にある当たり部が弁開閉レバーの先端に当接し、或いは、弁開閉レバーの外側にある当たり部が弁開閉器の筒状の先端部の端縁に当接して、それぞれ弁開閉レバーの先端が略へ字形をなす第一湾曲部よりも奥深くに嵌挿されて噛み込むことを防止する。
従って、上記弁開閉器の回転、円運動が支障なく行え、且つ弁開閉レバーからの抜き取りも容易に行えるので、一連の動作に無駄が生じず迅速に操作できる。
【図面の簡単な説明】
【図１】（イ）乃至（ハ）は本発明の一実施形態及び他実施形態に係る弁開閉器の正面図、（ニ）は（イ）乃至（ハ）におけるＡ−Ａ端面図。
【図２】（イ）、（ロ）及び（ニ）は本発明の他実施形態に係る弁開閉器を示す要部断面図、（ハ）は（ロ）におけるＢ−Ｂ端面図
【図３】（イ）乃至（ニ）は本発明の一実施形態に係る弁開閉器を使用した弁の開閉方法を示す断面図。
【図４】本発明の一実施形態に係る弁開閉器を使用した弁の開閉方法を示す断面図。
【図５】本発明の他実施形態に係る弁開閉器を使用した弁の開閉方法を示す断面図。
【図６】本発明の他実施形態に係る弁開閉器を使用した弁の開閉方法を示す断面図。
【図７】本発明の他実施形態に係る弁開閉器を使用した弁の開閉方法を示す断面図。
【図８】本発明の他実施形態に係る弁開閉器と弁開閉レバーの嵌挿状態を示し、（イ）乃至（ハ）は要部断面図、（ニ）は（ハ）において弁開閉器を嵌挿していない状態の弁開閉レバーを示すＣ−Ｃ矢視図。
【図９】（イ）及び（ハ）は本発明の他実施形態に係る弁開閉器の一部省略正面図、（ロ）及び（ニ）は同右側面図、（ホ）は同使用方法を示す断面図。
【図１０】（イ）は本発明の他実施形態に係る弁開閉器の一部省略正面図、（ロ）は同平面図、（ハ）及び（ホ）は同使用方法を示す要部断面図、（ニ）及び（ヘ）は同要部平面図。
【符号の説明】
１…弁開閉器、２…筒状の先端部、２ａ…端縁、３、３ａ、３ｂ…当たり部、４…第一湾曲部、５…中間部、６…第二湾曲部、７…把持部、８…末端、９…バール片、１０…キャップ体、１１ａ…バール孔、１４…埋設機器、１５…弁開閉レバー、１５ａ…端部、１６…弁開閉螺子
【図１】
0003632129.tif 000002
【図２】
0003632129.tif 000003
【図３】
0003632129.tif 000004
【図４】
0003632129.tif 000005
【図５】
0003632129.tif 000006
【図６】
0003632129.tif 000007
【図７】
0003632129.tif 000008
【図８】
0003632129.tif 000009
【図９】
0003632129.tif 000010
【図１０】
0003632129.tif 000011